(57)【要約】【課題】排水が排水立て管へ合流する際に、排水立て管へかかる負荷を低減する。【解決手段】流入部５４が、排水立て管１２内で旋回流を生じさせる方向へ竪管２２からの排水を、排水継手本体５２を介して排水立て管１２へ流入させる。これにより、排水立て管１２へ流入した排水は、排水立て管１２の内壁に沿って、螺旋状に旋回し、排水立て管１２を下方へ流れる。このように、排水立て管１２内で旋回流を生じさせることにより、排水立て管１２内における充水率の局部的な増加を抑制し、排水が排水立て管１２へ合流する際に、排水立て管１２へかかる負荷を低減できる。【選択図】  図２
2008111319.tif 000002
【特許請求の範囲】
【請求項１】
排水を落下させることによりサイフォン力を発生させて前記排水を誘導する竪管を有するサイフォン排水管と前記排水を下方へ流す排水立て管とを連結すると共に、前記竪管からの排水を前記排水立て管へ合流させる排水継手であって、
前記排水立て管に接続される排水継手本体と、
前記排水継手本体に形成され、前記竪管に接続され、前記排水立て管内で旋回流を生じさせる方向へ前記竪管からの排水を前記排水立て管へ流入させる流入部と、
を備えたことを特徴とする排水継手。
【請求項２】
前記流入部は、前記排水立て管の接線方向へ傾けられていることを特徴とする請求項１に記載の排水継手。
【請求項３】
前記流入部は、前記排水立て管の内壁に沿って、斜め下方へ前記竪管からの排水を流入させることを特徴とする請求項１又は請求項２に記載の排水継手。
【請求項４】
前記流入部は、前記排水立て管の周方向の同一方向に傾けられて前記排水継手本体に複数形成されていることを特徴とする請求項１〜３のいずれか１項に記載の排水継手。
【発明の詳細な説明】
【技術分野】
【０００１】
本発明は、サイフォン排水システムに用いられる排水継手に関する。
【背景技術】
【０００２】
近年、従来の勾配排水システムに代わって、所謂サイフォン排水システムが提案されている。サイフォン排水システムは、特許文献１に記載されるように、水周り器具とサイフォン排水管とで構成されており、サイフォン排水管の垂下部をなす竪管にて発生するサイフォン力（負圧力）を利用して、水回り器具からの排水効率を向上させるシステムである。
【０００３】
このサイフォン排水システムにおいては、水周り器具から排出された排水はサイフォン排水管に流入し、サイフォン排水管の水平部をなす横引き管及びサイフォン排水管の垂下部をなす竪管を満たす。
サイフォン排水管の竪管が排水で満たされると、竪管内の排水は重力により落下するから、横引き管の内部に、竪管における水頭差に対応する吸引力、即ちサイフォン力が発生する。
横引き管内の排水は、前記サイフォン力によって竪管に向かって吸引され、サイフォン排水管内が排水で満たされる所謂満流流れとなってサイフォン排水管内を流下する。
【０００４】
サイフォン排水システムのサイフォン力を発生させる竪管を排水立て管に接続する構造としては、特殊集合管の接続部に、竪管合流継手を介して、竪管を接続するものがある。
【０００５】
【特許文献１】特開平６−４２０１９
【発明の開示】
【発明が解決しようとする課題】
【０００６】
上記のように、特殊集合管を用いた構造では、縦方向に延びる竪管が、横方向に設けられた接続部に接続されるため、排水は、縦方向から横方向へ急激に向きを変えて流れる。このため、排水が向きを変える部分において、流水抵抗が生じ、排水効率が低下する。
また、竪管を特殊集合管に接続するために、継手等の部材が必要となり、部品点数が増える。部品点数が増えることにより、排水立て管及び竪管を設置するための設置スペースが大きくなってしまう。
また、サイフォン排水システムのサイフォン力を発生させる竪管を排水立て管に接続する構造においては、排水が排水立て管へ合流する際に、排水立て管へかかる負荷を小さくすることが望まれている。
本発明は、上記事実を考慮し、排水が排水立て管へ合流する際に排水立て管へかかる負荷を簡易な構成で低減できる排水継手を提供することを目的とする。
【課題を解決するための手段】
【０００７】
本発明の請求項１に係る排水継手は、排水を落下させることによりサイフォン力を発生させて前記排水を誘導する竪管を有するサイフォン排水管と前記排水を下方へ流す排水立て管とを連結すると共に、前記竪管からの排水を前記排水立て管へ合流させる排水継手であって、前記排水立て管に接続される排水継手本体と、前記排水継手本体に形成され、前記竪管に接続され、前記排水立て管内で旋回流を生じさせる方向へ前記竪管からの排水を前記排水立て管へ流入させる流入部と、を備えたことを特徴とする。
【０００８】
この構成によれば、竪管が排水を落下させることにより、サイフォン力を発生させて排水を誘導する。竪管からの排水は、排水継手によって、排水を下方へ流す排水立て管へ合流する。
【０００９】
ここで、請求項１の構成では、排水継手本体に形成された流入部が、排水立て管内で旋回流を生じさせる方向へ竪管からの排水を排水立て管へ流入させる。これにより、排水立て管へ流入した排水は、排水立て管の内壁に沿って、螺旋状に旋回し、排水立て管を下方へ流れる。
このように、排水立て管内で旋回流を生じさせることにより、排水立て管内における充水率の局部的な増加を抑制し、排水が排水立て管へ合流する際に、排水立て管へかかる負荷を低減できる。
また、請求項１の構成では、上記のように、流入する方向を規制することにより、旋回流を生じさせるので、旋回流を生じさせるための部材を別途も受ける必要がなく、簡易な構成で旋回流を生じさせることができる。
【００１０】
本発明に係る流入部としては、請求項２に記載のように、前記排水立て管の接線方向へ傾けられている構成としてもよい。
本発明に係る流入部としては、請求項３に記載のように、前記排水立て管の内壁に沿って、斜め下方へ前記竪管からの排水を流入させる構成としてもよい。
【００１１】
本発明の請求項４に係る排水継手は、請求項１〜３のいずれかの構成において、前記流入部は、前記排水立て管の周方向の同一方向に傾けられて前記排水継手本体に複数形成されていることを特徴とする。
この構成では、流入部は、排水立て管の周方向の同一方向に傾けられて排水継手本体に複数形成されているので、排水立て管内で同一方向への旋回流が生じる。これにより、排水が排水立て管へ合流する際に、排水立て管へかかる負荷を低減できる。
【発明の効果】
【００１２】
本発明は、上記構成としたので、排水が排水立て管へ合流する際に排水立て管へかかる負荷を簡易な構成で低減できる。
【発明を実施するための最良の形態】
【００１３】
以下に、本発明に係る実施形態の一例を図面に基づき説明する。
（本実施形態に係るサイフォン排水システムの全体構成）
まず、本実施形態に係るサイフォン排水システムの全体構成を説明する。図１には、本実施形態に係るサイフォン排水システムの全体構成が概略図にて示されている。
【００１４】
本実施形態に係るサイフォン排水システム１０は、サイフォン力を利用して水回り器具からの排水を効率よく排出する排水システムである。
本実施形態において、サイフォン排水システム１０は、複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。
【００１５】
集合住宅の各階には、浴槽、洗濯機、洗面所、トイレ及び台所流し等の複数（本実施形態では５つ）の水周り器具１６が設けられており、この水周り器具１６には、水周り器具１６から排出される排水を流すサイフォン排水管２３がそれぞれ接続されている。
各サイフォン排水管２３は、水周り器具１６に接続される器具排水管１８と、この器具排水管１８と連通する横引き管２０と、この横引き管２０と連通する竪管２２とを備えて構成されている。
器具排水管１８は、上下方向（縦方向）に延設され、水周り器具１６から排出される排水を下方へ流すように構成されている。なお、図１においては、一の水周り器具１６、一のサイフォン排水管２３のみを図示している。
【００１６】
この器具排水管１８と連通する横引き管２０は、床スラブ１４上で横方向にそれぞれ延設されている。この横引き管２０は、無勾配で配置され、器具排水管１８から横引き管２０へ流入した排水を横方向へ流す。
【００１７】
この横引き管２０と連通する竪管２２は、排水立て管１２に沿って、上下方向（縦方向）にそれぞれ延設されている。この竪管２２は、横引き管２０から竪管２２へ流入した排水を下方へ落下させることによりサイフォン力を発生させる。
この竪管２２と排水立て管１２とを連結する排水継手５０が設けられている。この排水継手５０は、竪管２２からの排水を排水立て管１２へ合流させる。
【００１８】
器具排水管１８、横引き管２０及び竪管２２は、一の排水管で構成され、他の水周り器具１６からの排水と途中で合流することなく、そのまま排水立て管１２へ排水を導くようになっている。また、器具排水管１８、横引き管２０及び竪管２２は、水周り器具１６からの排水が満水の状態で流れるように、管の内径が設定され、例えば、２０Ａにされている。
なお、サイフォン排水管２３としては、器具排水管１８、横引き管２０及び竪管２２の他に排水管を有していてもよい。また、サイフォン排水管２３としては、サイフォン力を発生させる竪管２２を有していればよく、器具排水管１８、横引き管２０は、必須の構成でない。
【００１９】
このサイフォン排水システム１０によれば、水周り器具１６から排出された排水は、器具排水管１８内を下方へ流れ、器具排水管１８における排水口水頭Ｈｐのポテンシャルエネルギ−により、さらに、無勾配の横引き管２０内を横方向へ流れる。
次いで、排水は、竪管２２を落下し、竪管２２におけるサイフォン水頭Ｈｓのポテンシャルエネルギ−により、サイフォン力が発生する。このサイフォン力により、器具排水管１８、横引き管２０及び竪管２２内の排水が誘導され、その排水が促進される。
このため、竪管２２側へ下る下り勾配が横引き管２０になくとも、逆に若干の逆勾配があったとしても、サイフォン力により、排水を導くことができる。なお、横引き管２０には、竪管２２側へ下る下り勾配があってもよい。
【００２０】
また、本実施形態に係るサイフォン排水システム１０としては、図２に示すように、サイフォン排水管２３に排水を一時貯留する一時貯留槽２１を設けた構成であっても良い。
図２に示す構成では、横引き管２０に一時貯留槽２１を設けると共に、器具排水管１８から一時貯留槽２１までの横引き管２０に一時貯留槽２１側へ下る下り勾配を形成し、この下り勾配を利用して、器具排水管１８から一時貯留槽２１へ排水を流す。
この一時貯留槽２１に、他の水周り器具１６に接続された器具排水管１８と連通する横引き管２０を接続させ、他の水周り器具１６から排出される排水を合流させて、一時貯留槽２１に一時貯留しても良い。この一時貯留槽２１に貯留した排水は、竪管２２によって発生するサイフォン力により誘導され、その排水が促進される。
【００２１】
また、本実施形態に係るサイフォン排水システム１０では、水回り器具からの排水を効率よく排出するものであったが、雨水など水周り器具１６以外からの排水を効率よく排出するために用いてもよい。
また、本実施形態に係るサイフォン排水システム１０は、集合住宅に用いられていたが、一戸建ての住宅に用いても良い。
【００２２】
（本実施形態に係る排水継手の構成）
次に、上記の実施形態に係る排水継手５０の構成を説明する。図３、図４、図５及び図６に、排水継手５０の構成が示されている。
【００２３】
排水継手５０は、図３、図４、図５及び図６に示すように、排水立て管１２に接続される排水継手本体５２を備えている。排水継手本体５２は、上部が下部よりも拡径され、上部へ向かって徐々に拡がった漏斗状（すり鉢状）に形成されている。
なお、排水継手本体５２は、上部へ向かって徐々に拡がった漏斗状でなくても良く、例えば、円筒状であってもよく、排水立て管１２の軸線回りに沿った曲面で内壁が形成されていればよい。
【００２４】
排水継手本体５２の下端部に、下側の排水立て管１２の先端部が接続され、排水継手本体５２の上面５２Ａの中央部に、上側の排水立て管１２の先端部が接続されている。すなわち、排水継手本体５２は、上側の排水立て管１２と下側の排水立て管１２の間に挿入されて接続されている。
【００２５】
排水継手本体５２の上面５２Ａには、排水立て管１２の周囲を囲むように（図６参照）、竪管２２からの排水を排水立て管１２へ流入させる複数の流入部５４が形成されている。
流入部５４は、排水継手本体５２の上面５２Ａから上方へ突出すると共に円筒状に形成され、上端部には、排水が流入可能な流入口５４Ａが形成され、下端部には、排水が流出可能な流出口５４Ｂ（図６参照）が形成されている。
【００２６】
竪管２２は、図３に示すように、流入部５４の上部にそれぞれ接続され、竪管２２からの排水は、流入部５４の流入口５４Ａから流入する。流入口５４Ａから流入した排水は、流出口５４Ｂから排水継手本体５２へ排出されることにより、竪管２２からの排水が排水継手本体５２へ流入する。
排水継手本体５２へ流入した排水は、排水継手本体５２の内壁を伝って、排水立て管１２へ流入する。すなわち、本実施形態では、流入部５４が、竪管２２からの排水を、排水継手本体５２を介して排水立て管１２へ流入させる。
なお、流入部５４は、直接、竪管２２からの排水を排水立て管１２へ流入させる構成であっても良い。
【００２７】
また、流入部５４は、所定方向に所定角度傾けられ、排水立て管１２内で旋回流を生じさせる方向へ竪管２２からの排水を、排水継手本体５２を介して排水継手本体５２へ流入させる構成となっている。
【００２８】
具体的には、流入部５４は、排水立て管１２の軸線Ｌに対する角度θが（図５参照）、例えば、５°〜８５°となるように、排水立て管１２の軸線Ｌに対して傾けられ、流入部５４から排水継手本体５２へ排水が排出される方向が、排水立て管１２の中心軸からずれるように、流入部５４の流出口５４Ｂが形成されている。
流入部５４の角度θを５°〜８５°に設定することにより、排水立て管１２内で効率よく、旋回流を生じさせることができる。
【００２９】
さらに、図６に示すように、流入部５４は、流入部５４の流出口５４Ｂの中央部Ｃにおける排水立て管１２の接線方向Ｓに傾けられていることが望ましい。
このように、流入部５４を構成することにより、竪管２２からの排水は、流入部５４の流出口５４Ｂから排水継手本体５２の内壁及び排水立て管１２の内壁に沿って、斜め下方へ流入する。また、流入部５４は、それぞれ、排水立て管１２の周方向の同一方向へ傾けられ、同一方向へ旋回する旋回流が生じるようになっている。
【００３０】
なお、旋回流を生じさせる羽根が内部に設けられた特殊継手のように、本実施形態に係る排水継手５０においても、その内部に、旋回流の発生を促進する羽根を設ける構成であってもよい。
また、流入部５４は、図７及び図８に示すように、排水立て管１２の外周の一部に偏らせて配置してもよい。図７及び図８に示す構成では、排水継手本体５２の上面５２Ａの中央部からずれた位置に、上側の排水立て管１２の先端部が接続されており、排水立て管１２の外周の一部にある排水継手本体５２の上面５２Ａに、流入部５４が形成されるスペースが確保されている。このスペースに流入部５４が形成されており、排水立て管１２から見て片側（図７及び図８において右側）に流入部５４が集められている。
このように構成することにより、流入部５４に接続される竪管２２がまとめやすくなり、竪管２２の取り扱いが向上する。
【００３１】
（本実施形態の作用）
次に、上記の実施形態について作用を説明する。
水周り器具１６から排出された排水は、器具排水管１８、横引き管２０及び竪管２２を流れる。竪管２２へ達した排水は、排水継手５０の流入部５４から流入する。流入部５４から流入した排水は、排水継手本体５２を通って、排水立て管１２へ流入する。
【００３２】
ここで、流入部５４は、排水立て管１２内で旋回流を生じさせる方向へ竪管２２からの排水を、排水継手本体５２を介して排水立て管１２へ流入させる。これにより、排水立て管１２へ流入した排水は、排水立て管１２の内壁に沿って、螺旋状に旋回し、排水立て管１２を下方へ流れる。
【００３３】
このように、排水立て管１２内で旋回流を生じさせることにより、排水立て管１２内における充水率の局部的な増加を抑制し、排水が排水立て管１２へ合流する際に、排水立て管１２へかかる負荷を低減できる。排水立て管１２へかかる負荷を低減することにより、排水立て管１２の管径を縮小でき、省スペース化、施工性の向上、コストダウンが図れる。
【００３４】
また、排水立て管１２内で旋回流を生じさせることにより、排水立て管１２の軸中央部を通って、空気を上方へ逃がすことができるので、排水立て管１２内に大量の水を流した場合であっても、排水立て管１２内の空気圧に変化が生じにくい。これにより、下の階の水周り器具１６の器具排水管１８等にある封水を、吹き飛ばしたり、引き込んだりすることがない。
また、排水立て管１２内で旋回流を生じさせることにより、排水立て管１２の内壁に付着する付着物を除去することができる。
【００３５】
また、本実施形態では、流入する方向を規制することにより、旋回流を生じさせるので、旋回流を生じさせるための部材を別途も受ける必要がなく、簡易な構成で旋回流を生じさせることができる。
また、本実施形態は、従来の特殊集合管を用いた構造のように、縦方向に延びる竪管が、横方向に設けられた接続部に接続される構造ではなく、竪管２２が斜めに傾けられた流入部５４に接続されるため、流水抵抗が生じにくく、排水効率が向上する。
また、竪管２２を排水継手５０に接続するために、別途、継手等の部材を必要とせず、部品点数を低減できる。部品点数が低減できることにより、排水立て管１２、排水継手５０及び竪管２２を設置するための設置スペースを小さくできる。
【００３６】
（本実施形態に係る流入部５４の変形例）
上記の本実施形態では、流入部５４は排水継手本体５２の上面５２Ａから突出する構成であったが、本実施形態係る流入部としては、図９及び１０に示すように、排水継手本体５２の上部に形成された開口部で構成された流入部５５であってもよい。
図９及び図１０に示す構成では、流入部５５は、上記の流入部５４と同様に、排水立て管１２の周囲を囲むように、複数形成されている。また、流入部５５は、円孔で形成され、この流入部５５には竪管２２が差し込み可能とされている。竪管２２は、流入部５５に差し込まれて固定され、流入部５５に接続される。
流入部５５は、所定方向に所定角度傾けられ、排水立て管１２内で旋回流を生じさせる方向へ竪管２２からの排水を、排水継手本体５２を介して排水継手本体５２へ流入させる構成となっている。
【００３７】
具体的には、流入部５５は、上記の流入部５４と同様に、排水立て管１２の軸線Ｌに対する角度θが（図９参照）、例えば、５°〜８５°となるように、排水立て管１２の軸線に対して傾けられ、流入部５５から排水継手本体５２へ排水が排出される方向が、排水立て管１２の中心軸からずれるように、流入部５５の流出口５５Ｂが形成されている。
流入部５５の角度θを５°〜８５°に設定することにより、排水立て管１２内で効率よく、旋回流を生じさせることができる。
【００３８】
さらに、流入部５５は、上記の流入部５４と同様に、流入部５５の流出口５５Ｂの中央部における排水立て管１２の接線方向に傾けられていることが望ましい。
このように、流入部５５を構成することにより、竪管２２からの排水は、流入部５５の流出口５５Ｂから排水継手本体５２の内壁及び排水立て管１２の内壁に沿って、斜め下方へ流入する。また、流入部５５は、それぞれ、排水立て管１２の周方向の同一方向へ傾けられ、同一方向へ旋回する旋回流が生じるようになっている。
なお、流入部５５の内周に雌ネジ部を形成すると共に、竪管２２の外周に雄ネジ部を形成し、この雌ネジ部と雌ネジ部を螺合させて、竪管２２を流入部５４に接続してもよい（図１０参照）。
また、流入部５５と竪管２２を接続する際に、図１０に示すように、竪管２２の先端部に継手５７を取り付け、継手５７を介して、竪管２２と流入部５５を接続する構成あっても良い。
【００３９】
また、本実施形態では、１つの排水継手５０を排水立て管１２に接続していたが、複数の排水継手５０を排水立て管１２に接続する構成であっても良い。なお、排水継手５０を排水立て管１２に複数接続する場合は、排水立て管１２の長手方向に沿って、排水継手５０を層状に重ねて、排水立て管１２に挿入するようにしてもよい。
また、本実施形態では、排水継手５０は複数の流入部５４が形成され、この流入部５４に複数の竪管２２が接続していたが、排水継手５０に１つの流入部５４が形成され、１つの排水継手５０に対して１つの竪管２２が接続される構成であってもよい。
１つの排水継手５０に対して１つの竪管２２が接続される構成においては、排水立て管１２の長手方向に沿って、排水立て管１２に複数接続することにより、上記の本実施形態のように、複数の竪管２２からの排水を排水立て管１２に合流させることができると共に、排水継手５０の横方向の大きさを小さくすることができる。
従って、排水継手５０への竪管２２の接続は、１本又はそれ以上であればよく、排水立て管１２への排水継手５０の接続は、１本又はそれ以上であればよい。
なお、本発明は、上記の実施形態に限るものではなく、種々の変形、変更、改良が可能である。
【図面の簡単な説明】
【００４０】
【図１】図１は、本発明の実施形態に係るサイフォン排水システムの全体構成を示す概略図である。
【図２】図２は、本発明の実施形態に係るサイフォン排水システムの変形例を示す概略図である。
【図３】図３は、本実施形態に係る排水継手において、竪管が接続された接続状態を示す斜視図である。
【図４】図４は、本実施形態に係る排水継手の斜視図である。
【図５】図５は、本実施形態に係る排水継手の側面図である。
【図６】図６は、本実施形態に係る排水継手の上面図である。
【図７】図７は、本実施形態に係る流入部を排水立て管の外周の一部に偏らせて配置した構成示す上面図である。
【図８】図８は、本実施形態に係る流入部を排水立て管の外周の一部に偏らせて配置した構成示す側面図である。
【図９】図９は、本実施形態に係る流入部の変形例を示す側面図である。
【図１０】図１０は、本実施形態に係る流入部の変形例であり、継手を介して竪管が接続される構成を示す側面図である。
【符号の説明】
【００４１】
１２  排水立て管
１６  水周り器具
２２  竪管
５０  排水継手
５２  排水継手本体
５４  流入部
Ｓ    接線方向
【図１】
2008111319.tif 000003
【図２】
2008111319.tif 000004
【図３】
2008111319.tif 000005
【図４】
2008111319.tif 000006
【図５】
2008111319.tif 000007
【図６】
2008111319.tif 000008
【図７】
2008111319.tif 000009
【図８】
2008111319.tif 000010
【図９】
2008111319.tif 000011
【図１０】
2008111319.tif 000012